(57)【要約】【課題】  両軸受リールのリール本体において、リール本体の製造コストを低減できるようにする。【解決手段】  リール本体１は、釣竿に装着される本体部材１ａと、本体部材１ａの前部及び本体部材１ａの釣竿と離反する側である上部を覆うように装着された水深表示用のカウンタケース４とを有している。カウンタケース４は、本体部材１ａの前部及び本体部材１ａの上部を覆うように装着され略中央部に上部が開口する開口部４ｃを有するカバー部材４ｂと、上面が外部に露出するように開口部４ｃに別体で装着され内部に表示部５やスイッチ操作部６等の各種の電気部品が収納されるケース部材４ａとを有している。【選択図】      図５
2007006782.tif 000002
【特許請求の範囲】
【請求項１】
釣竿に装着され、スプールの前方に釣り糸が繰り出される両軸受リールのリール本体であって、
前記釣竿に装着される本体部材と、
前記本体部材の前部及び前記本体部材の前記釣竿と離反する側である上部を覆うように装着され、略中央部に上部が開口する開口部を有するカバー部材と、
上面が外部に露出するように前記開口部に別体で装着され、内部に各種の電気部品が収納されるケース部材と、
を備えた両軸受リールのリール本体。
【請求項２】
前記ケース部材は、外形が略矩形の筐状部材である、請求項１に記載の両軸受リールのリール本体。
【請求項３】
前記ケース部材の上面には、各種の表示を行う表示部が配置されている、請求項１又は２に記載の両軸受リールのリール本体。
【請求項４】
前記ケース部材の上面には、各種の操作を行う１又は複数のスイッチ操作部が配置されている、請求項１から３のいずれか１項に記載の両軸受リールのリール本体。
【請求項５】
前記カバー部材は、表面が前記ケース部材の表面より内方に凹むように装着される、請求項１から４のいずれか１項に記載の両軸受リールのリール本体。
【請求項６】
前記カバー部材は、表面が前記ケース部材の表面より外方に突出するように装着される、請求項１から４のいずれか１項に記載の両軸受リールのリール本体。
【請求項７】
前記カバー部材は、前記ケース部材及び前記本体部材の少なくともいずれかにねじ止め固定されている、請求項１から６のいずれか１項に記載の両軸受リールのリール本体。
【請求項８】
前記カバー部材は、前記ケース部材及び前記本体部材の少なくともいずれかに形成された被係止部に係止可能な係止部を有している、請求項１から７のいずれか１項に記載の両軸受リールのリール本体。
【発明の詳細な説明】
【技術分野】
【０００１】
本発明は、リール本体、特に、釣竿に装着され、スプールの前方に釣り糸が繰り出される両軸受リールのリール本体に関する。
【背景技術】
【０００２】
一般に、両軸受リールは、リール本体と、リール本体に装着されたスプールと、スプールを回転させるハンドルとを備えている。このような両軸受リールのうち、電動リールやカウンタリールでは、リール本体は、本体部材と、本体部材の上部に載置されたケース部材とを有している。ケース部材の上面には、水深表示用の液晶ディスプレイからなる表示部と、表示部の周囲に設けられ各種の操作を行うスイッチ操作部とが配置されている。ケース部材の内部には、表示部やスイッチ操作部に接続され表示部等を制御するための電気部品が収納されている（たとえば、特許文献１参照）。
【０００３】
このようなケース部材は、本体部材の上部や前部を覆うように上面が湾曲した形状に形成されており、下部は本体部材と滑らかに連結されている。また、ケース部材は、たとえばリールを落下させたときに受ける衝撃によって本体部材が傷付くのを防止するためのガード部材としても機能している。ここでは、ケース部材とガード部材とが一体的に形成されているので、外観の意匠性を向上させながら、本体部材の傷付きを防止できる。
【特許文献１】特開平１０−２１０９０３号公報
【発明の開示】
【発明が解決しようとする課題】
【０００４】
前記従来の両軸受リールは、釣り糸の巻き付け量の差異によって異なる大きさのスプールを使用するために、リール本体の大きさが異なるものが提供されている。リール本体の大きさを変化させると、特に、外形を構成する本体部材及びガード部材の大きさを変化させる必要が生じる。一方、ケース部材は、本体部材及びガード部材の大きさを変化させても、内部に収納される部品は同一のものを使用できるので、ケース部材の大きさを変化させる必要が生じない。しかし、ここでは、ケース部材とガード部材とが一体的に形成されているので、ガード部材の大きさを変化させると、ケース部材を含んだガード部材をリール本体の大きさ毎にそれぞれ形成しなければならず、このためリール本体の製造コストが増大するおそれが生じる。
【０００５】
本発明の課題は、両軸受リールのリール本体において、リール本体の製造コストを低減できるようにすることにある。
【課題を解決するための手段】
【０００６】
発明１に係る両軸受リールのリール本体は、釣竿に装着されスプールの前方に釣り糸が繰り出される両軸受リールのリール本体であって、釣竿に装着される本体部材と、本体部材の前部及び本体部材の釣竿と離反する側である上部を覆うように装着され略中央部に上部が開口する開口部を有するカバー部材と、上面が外部に露出するように開口部に別体で装着され内部に各種の電気部品が収納されるケース部材とを備えている。
【０００７】
このリール本体では、ケース部材とカバー部材とが別体で形成されているので、リール本体の大きさを変化させたとき、カバー部材の大きさのみをを変化させ、ケース部材の大きさを維持することができる。したがって、カバー部材の大きさに関わらず、ケース部材を共通化することができるので、リール本体の製造コストを低減させることができる。
【０００８】
また、ケース部材は、カバー部材の略中央部に形成された開口部に装着されているので、ケース部材の周囲がカバー部材によって覆われる。したがって、カバー部材がケース部材のガードとして機能するので、たとえばリールを落下させたときでも、ケース部材の傷付きを防止することができる。
【０００９】
発明２に係るリール本体は、発明１のリール本体において、ケース部材は、外形が略矩形の筐状部材である。この場合、外形が略矩形の筐状部材の内部に各種の電気部品を収納できるので、簡素な構成で水密構造を提供できる。
【００１０】
発明３に係るリール本体は、発明１又は２のリール本体において、ケース部材の上面には、各種の表示を行う表示部が配置されている。この場合、ケース部材を共通化するときに、液晶ディスプレイ等の表示部をケース部材と一体となったユニットとして形成することができる。
【００１１】
発明４に係るリール本体は、発明１から３のいずれかのリール本体において、ケース部材の上面には、各種の操作を行う１又は複数のスイッチ操作部が配置されている。この場合、ケース部材を共通化するときに、押圧ボタン等のスイッチ操作部をケース部材と一体となったユニットとして形成できる。
【００１２】
発明５に係るリール本体は、発明１から４のいずれかのリール本体において、カバー部材は、表面がケース部材の表面より内方に凹むように装着される。この場合、カバー部材とケース部材との外形合わせが容易になる。
【００１３】
発明６に係るリール本体は、発明１から４のいずれかのリール本体において、カバー部材は、表面がケース部材の表面より外方に突出するように装着される。この場合、ケース部材の傷付きを防止できるとともに、ケース部材に配置された表示部やスイッチ操作部を保護できる。
【００１４】
発明７に係るリール本体は、発明１から６のいずれかのリール本体において、カバー部材は、ケース部材及び本体部材の少なくともいずれかにねじ止め固定されている。この場合、ケース部材及び本体部材の取り付けが簡単かつ確実になる。
【００１５】
発明８に係るリール本体は、発明１から７のいずれかのリール本体において、カバー部材は、ケース部材及び本体部材の少なくともいずれかに形成された被係止部に係止可能な係止部を有している。この場合、たとえば係止部及び被係止部として凹凸部を設けることにより、ケース部材と本体部材との着脱が容易になる。
【発明の効果】
【００１６】
本発明によれば、両軸受リールのリール本体において、ケース部材とカバー部材とを別体で形成することにより、リール本体の製造コストを低減できる。
【発明を実施するための最良の形態】
【００１７】
本発明の一実施形態による両軸受リールは、図１、図２及び図４に示すように、糸繰り出し長さ又は糸巻取長さに応じて仕掛けの水深を表示する水深表示機能を有する小型のカウンタリールである。両軸受リールは、釣竿に装着可能なリール本体１と、リール本体１の側方に配置されたスプール回転用のハンドル２と、ハンドル２のリール本体１側に配置されたドラグ調整用のスタードラグ３とを主に備えている。
【００１８】
リール本体１は、図１から図４に示すように、釣竿に装着される本体部材１ａと、本体部材１ａの前部及び本体部材１ａの釣竿と離反する側である上部を覆うように装着された水深表示用のカウンタケース４とを有している。
【００１９】
本体部材１ａは、図１、図２及び図４に示すように、左右１対の側板７ａ、７ｂとそれらを連結する複数の連結部材７ｃとからなるフレーム７と、フレーム７の左右を覆う左右の側カバー８ａ、８ｂと、フレーム７の前部を覆う前カバー９とを有している。下側の連結部材７ｃには、釣竿に装着するための竿装着脚１５が一体形成されている。ハンドル２側の側カバー８ｂには、図４に示すように、ハンドル２の回転軸であるハンドル軸２０が回転自在に支持されている。前カバー９には、図３に示すように、釣り糸通過用の横長の開口９ａが形成されている。
【００２０】
本体部材１ａの内部には、ハンドル２に連結されたスプール１０が回転自在に支持されている。スプール１０は、図３及び図４に示すように、スプール軸１２に回転不能に装着されており、スプール軸１２はリール本体１に回転自在に装着されている。また、本体部材１ａのハンドル２側側面には、ハンドル２とスプール１０との駆動伝達をオン、オフする図示しないクラッチのクラッチ操作レバー１１が配置されている。このクラッチをオンすると、仕掛けの自重による糸繰り出し中に、糸繰り出し動作を停止できる。
【００２１】
また、本体部材１ａの内部には、図４に示すように、スプール１０に連動して動作するレベルワインド機構１３や、ハンドル２の回転をスプール軸１２を介してスプール１０に伝達する回転伝達機構１４等が設けられている。レベルワインド機構１３は、スプール１０の前方に配置され、図３に示すように、スプール１０と連動して釣り糸をスプール１０に均一に巻き取るために設けられている。
【００２２】
本体部材１ａの上部には、図１から図４に示すように、水深表示用のカウンタケース４が固定されている。カウンタケース４は、本体部材１ａの前部及び本体部材１ａの上部を覆うように装着され略中央部に上部が開口する開口部４ｃを有するカバー部材４ｂと、上面が外部に露出するように開口部４ｃに別体で装着され内部に表示部５やスイッチ操作部６等の各種の電気部品が収納されるケース部材４ａとを有している。
【００２３】
ケース部材４ａは、図５及び図６に拡大して示すように、外形が略矩形の筐状部材であって、本体部材１ａに装着され内部に水密空間を有するケース本体３０と、ケース本体３０の内部に装着された回路基板３１と、回路基板３１上に回路基板３１と隙間をあけて配置された表示部５を含む複数の電気部品３２とを有している。回路基板３１は、上ケース部材４０に複数箇所でねじ止めされている。回路基板３１には、水深表示を制御するためのマイクロコンピュータからなる制御部や表示部５の駆動回路やスイッチ操作部６等の電気部品３２が接続されている。表示部５は、仕掛けの水深や棚位置を水面からと底からとの２つの基準で表示するためのものであり、セグメント方式の液晶ディスプレイである。
【００２４】
ケース本体３０は、図５に示すように、下部が開口した空間を内部に有する上ケース部材４０と、上ケース部材４０の開口を塞ぐ下ケース部材４１とを有している。
【００２５】
上ケース部材４０の上面には、略矩形の表示窓４０ａが形成され、表示窓４０ａを介して表示部５が臨んでいる。表示窓４０ａには、透明樹脂製のカバー４０ｂが嵌め込まれている。表示窓４０ａの右側には、図１、図２及び図５に示すように、スイッチ操作部６が設けられている。スイッチ操作部６は、図１及び図２に示すように、上下に並べて配置された電源スイッチ６ａ、モードスイッチ６ｂ及び棚メモスイッチ６ｃを有している。
【００２６】
下ケース部材４１は、板状の部材であり、筐状の上ケース部材４０の開口を塞ぐ部材であり、ねじ部材４２により上ケース部材４０にねじ止めされている。上ケース部材４０のねじ部材４２装着部の一方には、図５及び図６左側に示すように、ねじ部材４２の頭部収納孔の一部が切り欠かれ、ねじ部材４２の胴部装着孔を連通し、上ケース部材４０と下ケース部材４１との間の空間に連なる空気注入孔４３が形成されている。空気注入孔４３は、上ケース部材４０と下ケース部材４１との間の空間が水密構造を成しているか検査するためのものであり、左右側のねじ部材４２を締結し右側のねじ部材４２装着部をシリコン樹脂４４で密閉した後、空気注入孔４３から内部に空気を注入して空気漏れしていないか検査する。空気漏れしていないことが確認されれば、左側のねじ部材４２装着部を空気注入孔４３とともにシリコン樹脂４４で密閉する。ここでは、上ケース部材４０のねじ部材４２装着部に空気注入孔４３を形成しているので、従来のように空気注入孔４３専用のボス部を形成する必要がなくなる。
【００２７】
カバー部材４ｂは、図１から図４に示すように、本体部材１ａの前部及び本体部材１ａの上部を覆うように装着されている。カバー部材４ｂは、外形が本体部材１ａに沿って湾曲した三次元曲面を有している。また、カバー部材４ｂは、図１から図６に示すように、、略中央部に上部が開口する開口部４ｃを有している。開口部４ｃは、外形が略矩形に形成されており、表示部５が外部に露出する位置に配置されている。また、カバー部材４ｂは、図１及び図５に示すように、表面がケース部材４ａの表面と面一またはケース部材４ａの表面よりやや内方に凹むように装着されている。ここでは、ケース部材４ａとカバー部材４ｂとの外形合わせが容易になる。
【００２８】
カバー部材４ｂは、図６に示すように、ケース部材４ａの開口部４ｃ側部に形成された凸状の被係止部３４に係止可能な凹状の係止部３３を有している。ここでは、被係止部３４に係止部３３を係止することによって、ケース部材４ａの位置決め及び抜け止めを容易に行うことができる。
【００２９】
このような構成の両軸受リールでは、釣り糸を繰り出す時には、クラッチをクラッチ操作レバー１１によりオフし、スプール１０を自由に回転させ、釣り糸に装着された重りの自重により釣り糸を繰り出す。釣り糸が繰り出されるとスプール１０が回転し、表示部５の水深表示が繰り出し量に応じて変化する。仕掛けが棚に到達すると、クラッチ操作レバー１１によりクラッチをオンして釣り糸の繰り出しを停止する。仕掛けの当たりがあると、ハンドル２を回転させてスプール１０を糸巻取方向に回転させて魚を取り込む。
【００３０】
このような両軸受リールのリール本体１では、ケース部材４ａとカバー部材４ｂとが別体で形成されているので、リール本体１の大きさを変化させたとき、カバー部材４ｂの大きさのみをを変化させ、ケース部材４ａの大きさを維持することができる。したがって、カバー部材４ｂの大きさに関わらず、ケース部材４ａを共通化することができるので、リール本体１の製造コストを低減できる。
【００３１】
また、ケース部材４ａは、カバー部材４ｂの略中央部に形成された開口部４ｃに装着されているので、ケース部材４ａの周囲がカバー部材４ｂによって覆われている。したがって、カバー部材４ｂがケース部材４ａのガードとして機能することにより、たとえばリールを落下させたときでも、ケース部材４ａの傷付きを防止できる。
【００３２】
〔他の実施形態〕
（ａ）  前記実施形態では、両軸受リールとして水深表示を行うカウンタリールについて説明したが、本発明はカウンタリールのリール本体に限定されるものではなく、たとえば電動リールのリール本体にも本発明を適用できる。
【００３３】
（ｂ）  前記実施形態では、比較的小型のカウンタリールのカバー部材４ｂを例にあげて説明したが、図７に示すように、比較的中型のカウンタリールのカバー部材１０４ｂにも本発明を適用できる。ここでは、ケース部材４ａは、前記実施形態と同様のものを共通化して使用できるので、リール本体１の製造コストを低減させることができる。
【００３４】
（ｃ）  前記実施形態では、カバー部材４ｂは、表面がケース部材４ａの表面と面一またはケース部材４ａの表面よりやや内方に凹むように装着されていたが、図８に示すように、表面がケース部材４ａの表面より外方に突出するようにカバー部材４ｂを装着するようにしてもよい。ここでは、ケース部材４ａの傷付きを防止できるとともに、ケース部材４ａに配置された表示部５やスイッチ操作部６を保護できる。
【００３５】
（ｄ）  前記実施形態では、スイッチ操作部６は、表示部５の側部に配置されていたが、たとえば表示部５の下部等のケース部材４ａの任意の位置に配置できる。また、図９に示すように、カバー部材４ｂ上にスイッチ操作部６の操作スイッチを配置し、スイッチ操作部６の内部スイッチをケース部材４ａ上に配置し、スイッチ操作部６の操作スイッチと内部スイッチとをカバー部材４ｂの内部で連結するような図示しない連動機構を設ける構成にしてもよい。
【図面の簡単な説明】
【００３６】
【図１】本発明の一実施形態を採用した両軸受リールの斜視図。
【図２】前記両軸受リールの平面図。
【図３】前記両軸受リールの側面縦断面図。
【図４】前記両軸受リールの縦断面図。
【図５】前記両軸受リールのケース部材の拡大縦断面図。
【図６】前記ケース部材の背面図。
【図７】他の実施形態の図６に相当する図。
【図８】他の実施形態の図５に相当する図。
【図９】他の実施形態の図１に相当する図。
【符号の説明】
【００３７】
１  リール本体
１ａ  本体部材
２  ハンドル
４  カウンタケース
４ａ  ケース部材
４ｂ  カバー部材
４ｃ  開口部
５  表示部
６  スイッチ操作部
１０  スプール
３０  ケース本体
３３  係止部
３４  被係止部
４０  上ケース部材
４１  下ケース部材
４２  ねじ部材
４３  空気注入孔
４４  シリコン樹脂
【図１】
2007006782.tif 000003
【図２】
2007006782.tif 000004
【図３】
2007006782.tif 000005
【図４】
2007006782.tif 000006
【図５】
2007006782.tif 000007
【図６】
2007006782.tif 000008
【図７】
2007006782.tif 000009
【図８】
2007006782.tif 000010
【図９】
2007006782.tif 000011